(57)【要約】  【課題】三面鏡の中央ミラーと一対のサイドミラーの上下端部をミラー扉に保持する保持具の安全性と清掃性が向上するミラーキャビネットを提供する。  【解決手段】  三面鏡２３はミラー扉２２の上端部２６ａと下端部２６ｂに設けられた保持具２７で固着される。保持部２７は表板２７ａと裏板２７ｂが底板２７ｃで連結される断面略Ｕ字状で、上端部２６ａと下端部２６ｂに対して断面同形状である。表板２７ａの表面Ｓ１は底板２７ｃと連結する連結部Ｇ１から先端部Ｇ２に亘って先細りの傾斜面に形成され、表板２７ａは連結部Ｇ１に傾斜面である表面Ｓ１を延長して底板２７ｃから突出する突出部２８を備える。突出部２８の裏面Ｓ２は連結部Ｇ１から突出部２８の突出先端部２８ａに亘って中央ミラー２３ａより前方に長さＫ１で突出し、突出先端部２８ａから突出部２８の表面Ｓ１における突出先端部２８ｂまで水平方向に厚さＫ２で形成される。【選択図】図５
2009082656.tif 000002
【特許請求の範囲】
【請求項１】
キャビネット本体の前面に開閉自在に形成された三組のミラー扉にそれぞれ中央ミラーと一対のサイドミラーを備えて成る三面鏡とこの三面鏡の上方に三面鏡より前方に突出する照明部とを備えるミラーキャビネットであって、
前記中央ミラーと一対のサイドミラーは前記ミラー扉の上下端部に設けられた保持具に挿入して固着され、この保持具は表板と裏板が底板で連結する断面略Ｕ字状で、前記表板の表面は前記底板と連結する連結部から先端部に亘って先細りの傾斜面に形成されることを特徴とするミラーキャビネット。
【請求項２】
請求項１に記載のミラーキャビネットであって、前記保持具の表板は前記連結部から前記先端部と逆方向に前記傾斜面を延長する状態で突出する突出部を備えることを特徴とするミラーキャビネット。
【請求項３】
請求項２に記載のミラーキャビネットであって、前記ミラー扉の上端部の保持具における突出部の突出端部が前記照明部と面一に形成されることを特徴とするミラーキャビネット。
【発明の詳細な説明】
【技術分野】
【０００１】
本発明は、キャビネット本体の前面のミラー扉に中央ミラーと一対のサイドミラーから成る三面鏡を備えるミラーキャビネットに関し、詳しくは、三面鏡をミラー扉の上下端部に固着する保持具の安全性と清掃性が向上するミラーキャビネットに関するものである。
【背景技術】
【０００２】
三面鏡を備えたミラーキャビネット１の構成は、例えば特許文献１に開示されている。図７に示すように、ミラーキャビネット１にはキャビネット本体２の前面に一対のサイドミラー扉４と中央ミラー扉５から成る三面鏡３が配置される。
【０００３】
サイドミラー扉４はミラー前扉９と後扉１０との２枚扉で構成されており、ミラー前扉９と後扉１０とを重ねた状態で矢印Ｑ１に示すように外側に開くことによって収納棚６を使用できる。そして、後扉１０を閉じたままでミラー前扉９のみを矢印Ｑ２に示すように内側に開くことで三面鏡３として使用できる。
【０００４】
キャビネット本体２に設けられる中央収納部８の前端はサイド収納部７の前端よりも前方Ｆに突出し、中央収納部８の奥行き寸法Ｃがサイド収納部７の奥行き寸法Ｄよりも大きくなっている。各奥行き寸法は収納棚６とサイド収納部７とが接触しない範囲内で且つ中央ミラー扉５と中央収納部８とが接触しない範囲内を条件として決められる。
【特許文献１】特開２００３−２３５６５５号公報
【発明の開示】
【発明が解決しようとする課題】
【０００５】
ここで、中央ミラー扉５に固着される中央ミラー５ａの固着構造は、従来、図８に示すように、中央ミラー５ａが中央ミラー扉５の下端部５ｂに設けられる断面略Ｕ字状の保持具１１（前板１１ａと裏板１１ｂと底板１１ｃから成る）を介して固着されていた。なお、中央ミラー扉５の上端部にも同様の保持具１１が用いられ、サイドミラー用にミラー前扉９の上下端部も同様の保持具１１が用いられる。
【０００６】
ところが、保持具１１の前板１１ａは同じ厚さＥで形成されているので、先端部１１ｄに埃やゴミが溜まり易いので頻繁に掃除をする必要があるという問題があった。また、前板１１ａの先端角部１１ｅに使用者の手が触れたときに稀ではあるが引っかかる可能性があった。
【０００７】
そこで、本発明はかかる従来技術の問題に鑑みなされたものであって、中央ミラーと一対のサイドミラーの上下端部を保持する保持具の安全性と清掃性が向上するミラーキャビネットを提供することを目的とする。
【課題を解決するための手段】
【０００８】
請求項１の発明は、キャビネット本体の前面に開閉自在に形成された三組のミラー扉にそれぞれ中央ミラーと一対のサイドミラーを備えて成る三面鏡とこの三面鏡の上方に三面鏡より前方に突出する照明部とを備えるミラーキャビネットであって、前記中央ミラーと一対のサイドミラーは前記ミラー扉の上下端部に設けられた保持具に挿入して固着され、この保持具は表板と裏板が底板で連結する断面略Ｕ字状で、前記表板の表面は前記底板と連結する連結部から先端部に亘って先細りの傾斜面に形成されることを特徴としている。
【０００９】
請求項２の発明は、請求項１に記載のミラーキャビネットであって、前記保持具の表板は前記連結部から前記先端部と逆方向に前記傾斜面を延長する状態で突出する突出部を備えることを特徴としている。
【００１０】
請求項３の発明は、請求項２に記載のミラーキャビネットであって、前記ミラー扉の上端部の保持具における突出部の突出端部が前記照明部と面一に形成されることを特徴としている。
【発明の効果】
【００１１】
請求項１記載の発明によれば、前記中央ミラーと一対のサイドミラーは前記ミラー扉の上下端部に設けられた保持具に挿入して固着され、この保持具は表板と裏板が底板で連結する断面略Ｕ字状で、前記表板の表面は前記底板と連結する連結部から先端部に亘って先細りの傾斜面に形成されるので、前板の自由端部の先端部の突出代が抑えられるので指に触れる可能性が減少するので使用時の安全性が向上する。また、先端部に埃やゴミが溜まり難いので掃除をする頻度が減少できる。
【００１２】
請求項２記載の発明によれば、前記保持具の表板は前記連結部から前記先端部と逆方向に前記傾斜面を延長する状態で突出する突出部を備えるので、請求項１に記載の効果に加えて、使用者が三面鏡の下端部に指を沿えて開閉操作する際に使用者が下端部の前記傾斜面に指をソフトに添えることができるので操作性が向上する。
【００１３】
請求項３記載の発明によれば、前記ミラー扉の上端部の保持具における突出部の突出端部が前記照明部と面一に形成されるので、請求項１に記載の効果に加えて、三面鏡を閉じた状態で保持具の突出部と前記照明部の間で段差が生じないので見栄えが良くなり品質性が向上する。
【発明を実施するための最良の形態】
【００１４】
以下に、本発明の第１の実施形態を図１〜図５に基づいて説明する。
[ミラーキャビネットの構成]
【００１５】
図１、図２、図３、図４に示すように、本発明のミラーキャビネット２１は、キャビネット本体２１ａの前面に開閉自在に形成された三組のミラー扉２２（中央ミラー扉２２ａと一対のサイドミラー扉２２ｂ、２２ｃ）を備え、ミラー扉２２に三面鏡２３（中央ミラー２３ａと一対のサイドミラー２３ｂ、２３ｃ）が設けられる。
【００１６】
ミラー扉２２の背面にはそれぞれ中央収納棚２４ａとサイド収納棚２４ｂ、２４ｃを備え、キャビネット本体２１ａ内における中央収納棚２４ａとサイド収納棚２４ｂ、２４ｃ以外の領域は中央収納部２５ａとサイド収納棚２５ｂ、２５ｃとしてそれぞれ使用される。
【００１７】
中央ミラー２３ａは中央ミラー扉２２ａとともに図示しない蝶番を中心にして矢印Ｐ１方向に開くことができ、一対のサイドミラー２３ｂ、２３ｃはサイドミラー扉２２ｂ、２２ｃとともに図示しない蝶番を中心に矢印Ｐ２、Ｐ３に示すようにそれぞれ左方向と右方向に開くことができる。なお、三面鏡２３は閉じた状態でそれぞれの鏡面が面一に配置される。
【００１８】
中央ミラー２３ａと一対のサイドミラー２３ｂ、２３ｃは、それぞれのミラー扉２２ａ、２２ｂ、２２ｃの上端部２６ａと下端部２６ｂに設けられた保持具２７に挿入して固着される。保持具２７は表板２７ａと裏板２７ｂが底板２７ｃで連結される断面略Ｕ字状で、上端部２６ａと下端部２６ｂに対して同じ断面構造の保持具２７が用いられる。
【００１９】
三面鏡２３の上方に照明具３０ａを格納する照明部３０を備え、照明部３０の前面３０ｂは三面鏡２３より前方に長さＫだけ突出する。ミラー扉２２の上端部２６ａと照明部３０の下端部３０ｃとの間に隙間３１が形成される。
【００２０】
なお、キャビネット本体２１ａの下方に洗面ボウルの後壁３２を介して下部キャビネット部３３が形成され、キャビネット本体２１ａと下部キャビネット部３３の間に空間が形成され、下部キャビネット部３３の上部に洗面ボウル３５とキャビネット本体２１ａの下部に水栓３６を備える。
【００２１】
図５に示すように、保持具２７の表板２７ａの表面Ｓ１は表板２７ａが底板２７ｃと連結する連結部Ｇ１から先端部Ｇ２（厚さＫ３）に亘って先細りの傾斜面に形成される。さらに、保持具２７の表板２７ａは連結部Ｇ１から傾斜面である表面Ｓ１を延長して底板２７ｃから突出する突出部２８を備える。
【００２２】
突出部２８の裏面Ｓ２は連結部Ｇ１から突出部２８の突出先端部２８ａに亘って中央ミラー２３ａより前方に長さＫ１で突出する。突出先端部２８ａから突出部２８の表面Ｓ１における突出先端部２８ｂまで水平方向に厚さＫ２で形成されるので、突出先端部２８ｂの突出する長さＫ＝長さＫ１＋厚さＫ２で、Ｋ２＞Ｋ３である。より詳しくは、図３において、保持具２７は突出部２８を上方に向けて取付けられ、突出先端部２８ｂと照明部３０の下端部３０ｃには僅かな隙間が保たれる。
[ミラーキャビネットの作用]
【００２３】
保持具２７の突出先端部２８ｂが三面鏡２３より突出する長さＫが照明部３０の突出長さＫに等しいので、保持具２７の突出部２８によってミラー扉２２の上端部２６ａと照明部３０との隙間３１が隠れるので、外観がよくなり品質性に優れる。
【００２４】
また、表板２７ａの表面Ｓ１は底板２７ｃと連結する連結部Ｇ１から先端部Ｇ２に亘って先細りの傾斜面に形成されるので、先端部Ｇ２の面積が減少して埃やゴミの付着の可能性が減少する。さらに、先端部Ｇ２が細く形成されているので、使用者が不意に先端部Ｇ２の角に触れる可能性も減少するので稀ではあるが引っかかる可能性が低くなるので安全性が向上する。
【００２５】
突出部２８の裏面Ｓ２は連結部Ｇ１から突出部２８の突出先端部２８ａに亘って中央ミラー２３ａより前方に長さＫ１で突出するので、中央ミラー２３ａの下端部２６ｂ側の突出部２８を指で引いて開放する際に、前方に傾斜する裏面Ｓ２の傾斜面に対応する指の接触感がソフトになるので操作し易くなる。
【００２６】
[本発明の第二の実施形態]
本発明の第二の実施形態のミラーキャビネットを図６を用いて説明するが、図５に示す保持具２７の構成と同様の構成部分については図面に同符号を付して重複した説明を省略し、図１、図２、図３、図４に示す構成とは同じであるのでその説明および図面を省略する。
【００２７】
照明部３０の前方突出代が少ない場合には、中央ミラー扉２２ａの上端部２６ａの保持部２７における突出部２８の裏面Ｓ２の突出先端部２８ａが中央ミラー２３ａと面一に形成される。この場合でも、表面Ｓ１は傾斜面に形成されるので本発明の第一の実施形態と同様の効果が得られる。
【００２８】
以上、本発明の実施例を図面に基づいて説明したが、具体的な構成はこの実施低に限られるものではなく本発明の要旨を逸脱しない範囲の設計変更等があっても本発明に含まれる。
【００２９】
例えば、保持部２７の表板２７ａの表面Ｓ１は全域又は一部分をなだらかな曲面で形成してもよい。また、中央収納棚２４ａとサイド収納棚２４ｂ、２４ｃに対応するミラー扉２２に三面鏡２３を設ける代わりに、中央収納棚とサイド収納棚を備えない構成でも構わない。この場合、三面鏡２３の裏側に収納棚を設けないので奥行きの広い中央収納部２５ａとサイド収納部２５ｂ、２５ｃとして使用することができる。
【００３０】
下部キャビネット部３３や洗面ボウル３５と一体連結されずミラーキャビネット２１を単独で壁等に固定して使用することもできる。
【図面の簡単な説明】
【００３１】
【図１】本発明の第一の実施形態における、ミラーキャビネット２１の中央ミラー２３ａと一対のサイドミラー２３ｂ、２３ｃを閉じた状態を示す斜視図である。
【図２】本発明の第一の実施形態における、図１のミラーキャビネット２１の正面図である。
【図３】本発明の第一の実施形態における、図２のＡ−Ａ断面である。
【図４】本発明の第一の実施形態における、図２のＢ−Ｂ断面である。
【図５】本発明の第一の実施形態における、保持具２７の詳細断面図である。
【図６】本発明の第二の実施形態における、保持具２７の詳細断面図である。
【図７】従来の、ミラーキャビネット１の状態を示す水平断面図である。
【図８】従来の三面鏡を保持する保持具１１の詳細断面図である。
【符号の説明】
【００３２】
２２  ミラー扉
２３  三面鏡
２３ａ  中央ミラー
２６ａ  上端部
２６ｂ  下端部
２７  保持具
２７ａ  表板
２７ｂ  裏板
２７ｃ  底板
２８  突出部
２８ａ  突出先端部
２８ｂ  突出先端部
Ｓ１  表面
Ｓ２  裏面
Ｇ１  連結部
Ｇ２  先端部
【図１】
2009082656.tif 000003
【図２】
2009082656.tif 000004
【図３】
2009082656.tif 000005
【図４】
2009082656.tif 000006
【図５】
2009082656.tif 000007
【図６】
2009082656.tif 000008
【図７】
2009082656.tif 000009
【図８】
2009082656.tif 000010